(57)【特許請求の範囲】
【請求項１】
遊技盤を配設した本体枠に対して、球発射装置へ遊技球を供給する打球供給皿と、該打球供給皿から溢れた遊技球を貯留する補助球受皿とを配設すると共に、少なくとも該補助球受皿を有する球皿パネルを上記本体枠の前面に開閉可能に配設してなり、かつ、上記打球供給皿から溢れた遊技球を上記補助球受皿へ導くオーバーフロー流路を設けてなる遊技機の球流下機構において、
上記オーバーフロー流路は、上記本体枠に配設した本体枠側流路と、上記球皿パネルに配設した球皿側流路とからなり、
上記本体枠側流路における下流側端部には、上記球皿パネルを上記本体枠に対して開けたときに、当該下流側端部を遮るシャッター部材が配設してあり、
上記球皿側流路には、遊技球の払出を停止させるための満タン検出部が配設してあり、
上記本体枠には、払い出された遊技球を打球供給皿へ流下させる球払出流路が配設してあり、該球払出流路は、前方へ遊技球を流下させる前方流路部と、該前方流路部を流下する遊技球を左右方向へ流下させる屈曲流路部とを有しており、
上記球皿パネルには、上記打球供給皿と上記補助球受皿とが配設してあり、
上記打球供給皿の後面側には、後方へ突出し上記球皿パネルを上記本体枠に対して閉じたときに上記屈曲流路部の下流側に設けた開口穴内に配置されて、上記屈曲流路部に沿って流下する遊技球を上記打球供給皿へ導く流下ガイド部が設けてあり、
上記球払出流路は、上記球皿パネルを上記本体枠に対して開けたときに、上記屈曲流路部の下流側端部において上記本体枠側流路に合流するよう構成したことを特徴とする遊技機の球流下機構。
【請求項２】
遊技盤を配設した本体枠に対して、球発射装置へ遊技球を供給する打球供給皿と、該打球供給皿から溢れた遊技球を貯留する補助球受皿とを配設すると共に、少なくとも該補助球受皿を有する球皿パネルを上記本体枠の前面に開閉可能に配設してなり、かつ、上記打球供給皿から溢れた遊技球を上記補助球受皿へ導くオーバーフロー流路を設けてなる遊技機の球流下機構において、
上記オーバーフロー流路は、上記本体枠に配設した本体枠側流路と、上記球皿パネルに配設した球皿側流路とからなり、
上記本体枠側流路における下流側端部には、上記球皿パネルを上記本体枠に対して開けたときに、当該下流側端部を遮るシャッター部材が配設してあり、
上記球皿側流路には、遊技球の払出を停止させるための満タン検出部が配設してあり、
上記本体枠には、上記球発射装置から発射された後上記遊技盤の遊技領域へ到達せずに上記球発射装置側へ戻ってくるファール球を回収し、該ファール球を上記球皿側流路へと流下させるファール球回収流路が設けてあり、
上記シャッター部材は、上記球皿パネルを上記本体枠に対して開けたときに、上記本体枠側流路における下流側端部を遮ると共に、上記ファール球回収流路における下流側端部も遮るよう構成してあることを特徴とする遊技機の球流下機構。
【請求項３】
遊技盤を配設した本体枠に対して、球発射装置へ遊技球を供給する打球供給皿と、該打球供給皿から溢れた遊技球を貯留する補助球受皿とを配設すると共に、少なくとも該補助球受皿を有する球皿パネルを上記本体枠の前面に開閉可能に配設してなり、かつ、上記打球供給皿から溢れた遊技球を上記補助球受皿へ導くオーバーフロー流路を設けてなる遊技機の球流下機構において、
上記オーバーフロー流路は、上記本体枠に配設した本体枠側流路と、上記球皿パネルに配設した球皿側流路とからなり、
上記本体枠側流路における下流側端部には、上記球皿パネルを上記本体枠に対して開けたときに、当該下流側端部を遮るシャッター部材が配設してあり、
上記球皿側流路には、遊技球の払出を停止させるための満タン検出部が配設してあり、
該満タン検出部は、上記球皿側流路内の遊技球の球圧を受けて作動するよう上記球皿側流路に設けた満タン作動部であり、
上記シャッター部材には、上記満タン作動部の作動を検出するよう構成した満タン作動検知部が取り付けてあり、
該満タン作動検知部は、上記球皿パネルを上記本体枠に対して開けたときに、上記シャッター部材が上記本体枠側流路における下流側端部を遮る動作に連動して、検出状態へと動作するよう構成してあることを特徴とする遊技機の球流下機構。
【発明の詳細な説明】
【技術分野】
【０００１】
本発明は、打球供給皿及び補助球受皿を有する遊技機の球流下機構に関する。
【背景技術】
【０００２】
パチンコ遊技機等の遊技機において、上下２つの球皿を配設する場合には、上皿（打球供給皿）における遊技球の貯留量が一定数を超えたときに、この一定数を超えた遊技球を下皿（補助球受皿）へ溢れさせるためのオーバーフロー流路を設けることが行われている。
例えば、特許文献１の遊技機の球こぼれ防止装置においては、供給皿（上皿）及び貯留皿（下皿）を形成した前板が、遊技機本体の前面に開閉可能に設けられている。また、賞球払出通路の分岐部の下流に２つの賞球排出口を横並び状に形成し、供給皿（上皿）の賞球流入口と貯留皿（下皿）の賞球流入口とを、各賞球排出口と対向するように形成している。そして、２つの賞球排出口に跨る１枚のシャッター板を遊技機本体側に設け、前板が開かれたときシャッター板が２つの賞球排出口を同時に閉鎖するようにしている。これにより、前板を開いた際に球こぼれを防ぐための装置を簡単な構成によって形成している。
【先行技術文献】
【特許文献】
【０００３】
【特許文献１】特開２００７−２９３０４号公報
【発明の概要】
【発明が解決しようとする課題】
【０００４】
しかしながら、特許文献１の球こぼれ防止装置においては、上皿から溢れ出た遊技球が下皿へ流下し、下皿に貯留する遊技球が満タン状態（遊技球の貯留量が所定量に達した状態）になったことを検出する構造については、特別な工夫はなされていない。そして、特許文献１においては、前板を開けたときに上皿又は上皿から下皿へのオーバーフロー通路から遊技球が零れることを安定して防止するためには十分ではない。
【０００５】
本発明は、かかる従来の問題点に鑑みてなされたもので、シャッター部材によって、球皿パネルを開けたときに遊技球が零れ落ちることを安定して防止することができる遊技機の球流下機構を提供しようとするものである。
【課題を解決するための手段】
【０００６】
本発明は、遊技盤を配設した本体枠に対して、球発射装置へ遊技球を供給する打球供給皿と、該打球供給皿から溢れた遊技球を貯留する補助球受皿とを配設すると共に、少なくとも該補助球受皿を有する球皿パネルを上記本体枠の前面に開閉可能に配設してなり、かつ、上記打球供給皿から溢れた遊技球を上記補助球受皿へ導くオーバーフロー流路を設けてなる遊技機の球流下機構において、
上記オーバーフロー流路は、上記本体枠に配設した本体枠側流路と、上記球皿パネルに配設した球皿側流路とからなり、
上記本体枠側流路における下流側端部には、上記球皿パネルを上記本体枠に対して開けたときに、当該下流側端部を遮るシャッター部材が配設してあり、
上記球皿側流路には、遊技球の払出を停止させるための満タン検出部が配設してあることを特徴とする遊技機の球流下機構にある。
【発明の効果】
【０００７】
本発明の遊技機の球流下機構においては、打球供給皿から溢れた遊技球を補助球受皿へ導くオーバーフロー流路を、本体枠に配設した本体枠側流路と、球皿パネルに配設した球皿側流路とから構成している。そして、本体枠側流路における下流側端部には、球皿パネルを本体枠に対して開けたときに、当該下流側端部を遮るシャッター部材が配設してある。これにより、球皿パネルを開けたときでも、シャッター部材によって、本体枠側流路を流下する遊技球がこの本体枠側流路の下流側端部から零れ落ちることを防止することができる。
【０００８】
また、球皿側流路には、遊技球の払出を停止させるための満タン検出部が配設してある。そして、補助球受皿及び球皿側流路に貯留される遊技球が満タン状態（最大貯留可能量）になったときには、満タン検出部が満タン状態を検出し、遊技球の払出を停止させることができる。これにより、満タン検出部よりも上流側に位置する球皿側流路の部分及び本体枠側流路にまで遊技球が貯留されることがない。そのため、球皿パネルを開けた際、シャッター部材によって本体枠側流路における下流側端部を遮るときに、シャッター部材が多数の遊技球の間に割って入ることがない。これにより、シャッター部材を本体枠側流路の下流側端部を遮るように移動させるときにシャッター部材に加わる負荷を低減することができ、シャッター部材によって、遊技球が零れ落ちることを安定して防止することができる。
【０００９】
それ故、本発明の遊技機の球流下機構によれば、シャッター部材によって、球皿パネルを開けたときに遊技球が零れ落ちることを安定して防止することができる。
【図面の簡単な説明】
【００１０】
【図１】実施例１における、球皿パネルを開けた状態の遊技機を示す斜視図。
【図２】実施例１における、遊技機における適宜箇所を上方から見た状態で示す断面説明図。
【図３】実施例１における、本体枠の前面側を示す斜視図。
【図４】実施例１における、球皿パネルの裏面側を示す斜視図。
【図５】実施例１における、主ファール球回収流路の周辺を示す斜視図。
【図６】実施例１における、球皿パネルを閉じた状態のシャッター部材の周辺を側方から見た状態で示す断面説明図。
【図７】実施例１における、球皿パネルを開けた状態のシャッター部材の周辺を側方から見た状態で示す断面説明図。
【図８】実施例１における、球払出流路の周辺を側方から見た状態で示す断面説明図。
【図９】実施例２における、本体枠におけるシャッター部材の周辺を示す斜視図。
【図１０】実施例２における、球皿パネルの裏面側における満タン作動部の周辺を示す斜視図。
【発明を実施するための形態】
【００１１】
上述した本発明の遊技機の球流下機構における好ましい実施の形態につき説明する。
本発明において、上記満タン検出部とは、この満タン検出部が配置された位置まで遊技球が貯留されたときに、遊技球の満タン状態になったことを認識するための機能や構造の少なくとも一部を有するもののことをいう。
【００１２】
また、第１の発明においては、上記本体枠には、払い出された遊技球を打球供給皿へ流下させる球払出流路が配設してあり、該球払出流路は、前方へ遊技球を流下させる前方流路部と、該前方流路部を流下する遊技球を左右方向へ流下させる屈曲流路部とを有しており、上記球皿パネルには、上記打球供給皿と上記補助球受皿とが配設してあり、上記打球供給皿の後面側には、後方へ突出し上記球皿パネルを上記本体枠に対して閉じたときに上記屈曲流路部の下流側に設けた開口穴内に配置されて、上記屈曲流路部に沿って流下する遊技球を上記打球供給皿へ導く流下ガイド部が設けてあり、上記球払出流路は、上記球皿パネルを上記本体枠に対して開けたときに、上記屈曲流路部の下流側端部において上記本体枠側流路に合流するよう構成してある（請求項１）。
【００１３】
この場合には、球皿パネルを本体枠に対して閉じた状態においては、遊技機において賞球等に応じて払い出される遊技球は、球払出流路における前方流路部及び屈曲流路部を流下させた後、流下ガイド部によって案内して打球供給皿へ払い出すことができる。
一方、球皿パネルを本体枠に対して開けたときには、打球供給皿の後面側に設けた流下ガイド部が、球払出流路における屈曲流路部の下流側に設けた開口穴から抜き出される。そして、球払出流路は、屈曲流路部の下流側端部において本体枠側流路に合流する。このとき、屈曲流路部の形成により、遊技球の流れを前後方向の流れではなく左右方向の流れにすることができる。そのため、仮に流下ガイド部よりも上流側に位置する球払出流路に所定量の遊技球が存在する状態、又は打球供給皿へ遊技球の払出を行う最中に、球皿パネルを開けたときでも、打球供給皿への球流出部付近にシャッター部材を設けていなくても、遊技球が上記開口穴から零れ落ちることを防止することができる。
【００１４】
また、第２の発明においては、上記本体枠には、上記球発射装置から発射された後上記遊技盤の遊技領域へ到達せずに上記球発射装置側へ戻ってくるファール球を回収し、該ファール球を上記球皿側流路へと流下させるファール球回収流路が設けてあり、上記シャッター部材は、上記球皿パネルを上記本体枠に対して開けたときに、上記本体枠側流路における下流側端部を遮ると共に、上記ファール球回収流路における下流側端部も遮るよう構成してある（請求項２）。
この場合には、本体枠側流路における下流側端部を遮るシャッター部材によって、ファール球回収流路における下流側端部も遮ることができる。そのため、球皿パネルを本体枠に対して開けたときに、同じシャッター部材によって複数の流路の下流側端部から遊技球が零れ落ちることを防止することができ、シャッター部材が占めるスペースを小さくすることができる。
【００１５】
また、第３の発明においては、上記満タン検出部は、上記球皿側流路内の遊技球の球圧を受けて作動するよう上記球皿側流路に設けた満タン作動部であり、上記シャッター部材には、上記満タン作動部の作動を検出するよう構成した満タン作動検知部が取り付けてあり、該満タン作動検知部は、上記球皿パネルを上記本体枠に対して開けたときに、上記シャッター部材が上記本体枠側流路における下流側端部を遮る動作に連動して、検出状態へと動作するよう構成してある（請求項３）。
【００１６】
この場合には、満タン作動検知部は、球皿パネルを本体枠に対して閉じた状態においては、補助球受皿が満タン状態であることを検出することができる。また、満タン作動検知部は、球皿パネルを本体枠に対して開けたときには、検出状態へと動作することにより、球皿パネルが開いていることを検出することができる。そして、満タン作動検知部が検出状態へと動作したときには、遊技球の払出を停止することができる。
これにより、１つの検出部に、満タン状態の検出機能と球皿パネルの開放検出機能とを併せ持たせることができる。また、それに付随する払出停止等の遊技制御の処理を行うことができる。従って、遊技機に関わる状態検出機能に関しての部品点数を削減することができる。
【実施例】
【００１７】
以下に、本発明の遊技機の球流下機構にかかる実施例につき、図面を参照して説明する。
（実施例１）
本例の遊技機１は、図１、図２に示すごとく、遊技盤を配設した本体枠２に対して、球発射装置２６へ遊技球を供給する打球供給皿３１と、打球供給皿３１から溢れた遊技球を貯留する補助球受皿３２とを配設してなる。また、遊技機１は、少なくとも補助球受皿３２を有する球皿パネル３を本体枠２の前面に開閉可能に配設してなり、遊技機１の球流下機構は、打球供給皿３１から溢れた遊技球を補助球受皿３２へ導くオーバーフロー流路４を設けてなる。
【００１８】
図１、図６に示すごとく、オーバーフロー流路４は、本体枠２に配設した本体枠側流路４１と、球皿パネル３に配設した球皿側流路４５とからなる。本体枠側流路４１における下流側端部４１１には、球皿パネル３を本体枠２に対して開けたときに、当該下流側端部４１１を遮るシャッター部材６が配設してある。球皿側流路４５には、遊技球の払出を停止させるための満タン検出部７が配設してある。
【００１９】
以下に、本例の遊技機１の球流下機構につき、図１〜図８を参照して詳説する。
図１、図２に示すごとく、本例の遊技機１は、パチンコ遊技機である。本例の球皿パネル３には、打球供給皿３１と補助球受皿３２とが配設してある。球皿パネル３は、遊技盤の遊技領域が視認できる状態でガラス板を設けたガラス扉３０と一体的に設けてある。また、本体枠２には、入賞に応じた所定数の遊技球を払い出す球払出装置（図示略）と、球払出装置から払い出された遊技球を打球供給皿３１へ流下させる球払出流路２１とが配設してある。
【００２０】
ガラス扉３０と球皿パネル３とは、左右いずれかの端部（本例では左側の端部）に設けた回動支点部を中心に、本体枠２に対して一体となって開閉するよう構成されている。
なお、打球供給皿３１及び補助球受皿３２を配設した球皿パネル３を、ガラス扉３０と別々に開閉するよう構成することもできる。また、打球供給皿３１と補助球受皿３２とを別々に開閉する球皿パネル３に設けることもできる。さらに、ガラス扉３０と打球供給皿３１とを一体に開閉するよう構成し、補助球受皿３２が設けられた球皿パネル３がそれとは別に開閉するように構成することもできる。
【００２１】
図２、図３に示すごとく、球払出流路２１は、上方から流下する遊技球を前方へ流下させる前方流路部２１１と、前方流路部２１１を流下する遊技球を左右方向へ流下させる屈曲流路部２１２とを有している。本例の球払出装置は、遊技機１の前面側から見て左側の端部の近傍に配設してあり、屈曲流路部２１２は、前方流路部２１１から流下する遊技球を右側へ屈曲させて流下させるよう形成してある。
【００２２】
図８に示すごとく、オーバーフロー流路４における本体枠側流路４１は、本体枠２の前面よりも後方に形成された後方側流路部分４１Ａを有している。この後方側流路部分４１Ａは、前方流路部２１１の後方及び下側に形成されており、前方流路部２１１の後方側から遊技球を受け、下方に流下させた後、前方側に向けて流下させるよう構成してある。
後方側流路部分４１Ａは、前方流路部２１１を形成する区画流路部材４３によって前方流路部２１１と区画して形成されており、区画流路部材４３は、前後方向の中間部のやや後方位置に頂点部Ｃを形成し、頂点部Ｃから前方へ下降傾斜する底面を形成した前方側傾斜部分Ａと頂点部Ｃから後方へ下降傾斜する底面を形成した後方側傾斜部分Ｂとを有している。そして、球払出装置から払い出された遊技球は、その流下の勢いによって払出上流側流路２０を経由して区画流路部材４３の前方側傾斜部分Ａへ流下するようになっている（図８において、この遊技球の流下を矢印Ｉで示す。）。
【００２３】
そして、打球供給皿３１が満タン状態になり、この打球供給皿３１から遊技球が溢れ出して、前方流路部２１１を形成する区画流路部材４３の前方側傾斜部分Ａにまで遊技球が貯留されたときには、それ以降に払い出される遊技球が区画流路部材４３の後方側傾斜部分Ｂへ溢れ出し、本体枠側流路４１及び球皿側流路４５（オーバーフロー流路４）を経由して補助球受皿３２へ流下するようになっている。
【００２４】
図３に示すごとく、本体枠２の前面には、球払出流路２１における前方流路部２１１が連通する上側流下開口穴２１３と、後方側流路部分４１Ａが連通する下側流下開口穴４１２とが上下に形成されている。オーバーフロー流路部材４２の前面であって、屈曲流路部２１２の下流側に対応する部位には、開口穴４２１が形成してある。
【００２５】
図２、図４に示すごとく、球皿パネル３における打球供給皿３１の後面側には、球皿パネル３を本体枠２に対して閉じた状態において、開口穴４２１内に配置されて、屈曲流路部２１２に沿って流下する遊技球を打球供給皿３１へ導く流下ガイド部３３が設けてある。この流下ガイド部３３は、球皿パネル３の後方へ突出して形成されており、屈曲流路部２１２から流下する遊技球が衝突する右側壁３３１と、後方側に形成した後側壁３３２とを有している。また、流下ガイド部３３の下流側の端部は、球皿パネル３の正面において、球払出口（球流入口）３３３として打球供給皿３１の配置部位に開口している。
【００２６】
図２に示すごとく、球皿パネル３を本体枠２に対して閉じた状態においては、球払出流路２１における前方流路部２１１及び屈曲流路部２１２を流下する遊技球は、流下ガイド部３３によって再度前方側へとガイドされて、打球供給皿３１へと導かれるよう構成されている。
一方、図３に示すごとく、球皿パネル３を本体枠２に対して開けたときには、球払出流路２１における屈曲流路部２１２がオーバーフロー流路４の本体枠側流路４１に対して開放され、屈曲流路部２１２の下流側端部がオーバーフロー流路部材４２に形成された本体枠側流路４１に上方から合流するよう構成してある。このとき、前方流路部２１１及び屈曲流路部２１２を流下する遊技球は、屈曲流路部２１２によって左右方向（本例では右方向）へ流下して本体枠側流路４１へと合流するため、球皿パネル３を本体枠２に対して開けたときにも、遊技球が開口穴４２１から零れ落ちることが防止される。
【００２７】
図２、図５に示すごとく、本例の遊技機１においては、球発射装置２６から発射された後、遊技盤の遊技領域へ到達せずに球発射装置２６側へ戻ってくるファール球（遊技球）を回収し、このファール球を打球供給皿３１又は補助球受皿３２へと流下させる主ファール球回収流路５１が設けてある。
この主ファール球回収流路５１は、球払出流路２１における前方流路部２１１の右側に隣接して設けてある。主ファール球回収流路５１は、遊技球を流下させる迂回流下スペース５１０を有しており、迂回流下スペース５１０は、主ファール球回収流路５１の入口部５１４から流入してきた遊技球を後方へ流下させる第一案内部５１１と、第一案内部５１１に沿って流下した遊技球を前方へ流下させる第二案内部５１２とによって遊技球の流下経路を形成してなる。
【００２８】
図５に示すごとく、第二案内部５１２の前方側端部には、第二案内部５１２に沿って前方へ流下する遊技球を、左右方向（本例では左方向）へ屈曲させて流下させ、球払出流路２１における前方流路部２１１へ合流させるための屈曲流下壁５１６が設けてある。
迂回流下スペース５１０の出口部５１５は、屈曲流下壁５１６によって迂回流下スペース５１０を流下する遊技球を球払出流路２１における前方流路部２１１に対して左右方向（本例では右方向）から合流させるように形成されている。この迂回流下スペース５１０の出口部５１５は、遊技盤の前面よりも後方側の位置において球払出流路２１における前方流路部２１１の側方部に開口している。
【００２９】
迂回流下スペース５１０における第一案内部５１１の前方側には、迂回流下スペース５１０からオーバーフロー流路４へ遊技球を流下させる連通流路５２の入口部５２１が形成してある。この連通流路５２の入口部５２１は、迂回流下スペース５１０の出口部５１５の右側に隣接して形成してある。
連通流路５２の出口部５２２は、連通流路５２を流下する遊技球をオーバーフロー流路４に対して左右方向（本例では右方向）から合流させるように形成されている。この連通流路５２の出口部５２２は、遊技盤の前面よりも後方側の位置においてオーバーフロー流路４の側方部に開口している。
【００３０】
連通流路５２は、その入口部５２１から出口部５２２に向けて左側に屈曲して形成されている。
そして、打球供給皿３１及び前方流路部２１１における出口部５１５まで遊技球が満タンの状態となって、この出口部５１５が遊技球によって塞がれることにより、ファール球の前方流路部２１１への流出が規制されて迂回流下スペース５１０の第二案内部５１２までファール球が貯留されたときには、迂回流下スペース５１０の第一案内部５１１へ流下したファール球は、連通流路５２を介して補助球受皿３２へ導かれるよう構成されている。
【００３１】
図５に示すごとく、迂回流下スペース５１０は、右側の前方端部に、主ファール球回収流路５１の入口部（ファール球が流入する入口部）５１４を有している。
第一案内部５１１は、左斜め後方へ遊技球を流下させるための斜め後方壁５１１Ａを形成してなり、第二案内部５１２は、前方へ遊技球を流下させるための側壁５１２Ａを形成してなる。迂回流下スペース５１０は、斜め後方壁５１１Ａと側壁５１２Ａとによって囲まれて形成されており、第一案内部５１１における底面は、略三角形状に形成されており、第二案内部５１２における底面は、遊技球が一列で流下できる幅に形成されている。
【００３２】
第一案内部５１１における底面は、左斜め前方に向けて若干低くなる傾斜を有している。第二案内部５１２における底面は、前方に向けて低くなる傾斜を有している。迂回流下スペース５１０の底面において、第一案内部５１１と第二案内部５１２との間には、第二案内部５１２の底面の高さを第一案内部５１１の底面の高さより低くする段差部５１３（段差形状）が形成してある。
【００３３】
図３に示すごとく、上記ファール球のほとんどは、上記主ファール球回収流路５１に回収される一方、球発射装置２６から発射された発射球（遊技球）とファール球とが衝突したときには、この発射球が、球発射装置２６から遊技盤の遊技領域に向けて斜め上方に形成した発射レール２２へ逆流し、球発射装置２６における発射球（遊技球）の着座部へと戻るおそれがある。
そこで、発射レール２２における球発射装置２６に近い側の部分には、発射レール２２へ逆流した（戻った）ファール球を回収しオーバーフロー流路４へ合流させるための副ファール球回収流路５３が形成してある。
【００３４】
この副ファール球回収流路５３は、右側から左斜め上方へ傾斜して形成した発射レール２２に対して交差し、右側から左側へ遊技球を流下させるよう形成してある。発射レール２２と、遊技領域の円弧状の外縁部に沿った球ガイド２３との間には、空間２４が形成してあり、この空間２４に、主ファール球回収流路５１の入口部５１４が連通してある。
【００３５】
図６に示すごとく、本例のシャッター部材６は、下端部に回動支点部６１を有し、上端部に上流側から流下する遊技球を受け止める球受け面６２を有している。回動支点部６１は、左右方向に軸部を配置してなり、シャッター部材６は、回動支点部６１付近に適宜配設されたスプリング等の付勢部材（図示略）によって前方側へ回動するよう付勢されている。また、球受け面６２は、回動支点部６１を中心とする円周に沿った円弧形状の面に形成してある。
【００３６】
同図に示すごとく、球皿パネル３を本体枠２に対して閉じたときには、シャッター部材６は、球皿側流路４５の後壁部と当接して後方側に押されることにより、本体枠２に形成されたシャッター部材収納部２７に収納される。これにより、球皿パネル３を本体枠２に対して閉じたとき（通常遊技状態）には、本体枠側流路４１と球皿側流路４５とが連結された状態のオーバーフロー流路４が形成される。
そして、図７に示すごとく、球皿パネル３を本体枠２に対して開けたときには、シャッター部材６が付勢部材の付勢力を受けて回動支点部６１を中心に前方側へ回動し、上端部の球受け面６２がオーバーフロー流路４における本体枠側流路４１の下流側端部４１１を閉塞（遮断）するよう構成してある。
【００３７】
図３、図７に示すごとく、本例のシャッター部材６は、球皿パネル３を本体枠２に対して開けたときに、本体枠側流路４１における下流側端部４１１を遮ると共に、副ファール球回収流路５３における下流側端部５３１も遮るよう構成してある。図３においては、シャッター部材６が前方側へ回動した状態６Ｘを２点鎖線で示す。
副ファール球回収流路５３における下流側端部５３１は、球皿パネル３を本体枠２に対して閉じた状態においては、本体枠側流路４１の下流側端部４１１の近傍、すなわちオーバーフロー流路４における球皿側流路４５の側方（本例では右側）に開口しており、球皿パネル３を本体枠２に対して開けたときには、前方側へ回動したシャッター部材６の側面（本例では右側側面）６３によって遮蔽されるよう構成されている。
【００３８】
図４に示すごとく、オーバーフロー流路４における球皿側流路４５に設けた満タン検出部７は、球皿側流路４５内の遊技球の球圧を受けて作動するよう球皿側流路４５に設けた満タン作動部７１と、満タン作動部７１の作動を検出するよう構成した満タン作動検知部７２とからなる。
満タン作動検知部７２は、接触式のスイッチからなり、このスイッチの検知部が満タン作動部７１によって押し込まれたときに、満タン状態（最大貯留可能量になった状態）を検知するよう構成してある。満タン作動部７１は、球皿流路部の側壁の一部を構成し、球皿側流路４５内の遊技球の球圧を受けて作動するよう構成してある。満タン作動部７１は、上端部に回動支点部７１１を有しており、遊技球の球圧を受けて回動し、満タン作動検知部７２を構成するスイッチの検知部を押し込むよう構成してある。
また、満タン作動部７１は、満タンではない状態（通常状態）においては、満タン作動検知部７２の検知部を押し込まない位置に位置している。
【００３９】
次に、本例の遊技機１におけるファール球の回収、オーバーフロー時の流下機構、満タン検知、メンテナンス等を目的として球皿パネル３を開けたときの動作等、及びこれらによる作用効果につき説明する。
球皿パネル３を本体枠２に対して閉じた状態（通常遊技状態）において、パチンコ遊技を行い入賞があったときには、球払出装置は、賞球として球払出流路２１へ所定数の遊技球を払い出す。このとき、遊技球は、球払出流路２１において、前方流路部２１１及び屈曲流路部２１２を流下して流下ガイド部３３へ流下し、流下ガイド部３３から打球供給皿３１へ払い出される。
【００４０】
また、図５に示すごとく、球発射装置２６から発射された後、遊技盤の遊技領域へ到達せずに戻ってきたファール球は、通常、主ファール球回収流路５１（迂回流下スペース５１０）の入口部５１４へ流下する。同図において、ファール球の流れを矢印Ｆで示す。
そして、迂回流下スペース５１０の入口部５１４に流下したファール球は、その流入時の勢いにより、第一案内部５１１の底面の傾斜（左前方傾斜）に抗して後方へと流下する。そのときにまず、第一案内部５１１を形成する斜め後方壁５１１Ａに沿って左斜め後方へ流下し、次いで、段差部５１３によって第二案内部５１２へ降下した後、第二案内部５１２を形成する側壁５１２Ａに沿って前方へ流下する。次いで、ファール球は、屈曲流下壁５１６によって球払出流路２１における前方流路部２１１へ向けて屈曲して流下し、出口部５１５から前方流路部２１１へと合流する。その後は、前方流路部２１１、屈曲流路部２１２及び流下ガイド部３３を経由して、打球供給皿３１へ戻される。
【００４１】
このとき、迂回流下スペース５１０の出口部５１５から前方流路部２１１へと排出されたファール球が、球払出装置から払い出された遊技球と衝突等して、出口部５１５から迂回流下スペース５１０内へと逆流したとしても、屈曲流下壁５１６の壁部が出口部５１５の上流部と連通流路５２の入口部５２１とを区画形成するように配置されているので、逆流したファール球が誤って連通流路５２の入口部５２１へと流下してしまうことを適切に防止することができる。また、第一案内部５１１と第二案内部５１２との仕切り部には段差部５１３が設けられているので、第二案内部５１２から第一案内部５１１へとファール球が逆流することを適切に防止することができる。
【００４２】
図２、図５、図８に示すごとく、パチンコ遊技を行う際に、打球供給皿３１が遊技球によって満タン状態（最大貯留可能量）になったときは、打球供給皿３１から溢れ出した遊技球は、流下ガイド部３３、屈曲流路部２１２及び前方流路部２１１へと充満される。そして、遊技球が区画流路部材４３の前方側傾斜部分Ａに充満したときには、遊技球は、頂点部Ｃを乗り越えて、区画流路部材４３の後方側傾斜部分Ｂから本体枠側流路４１の後方側流路部分４１Ａへと流下する（図８において、この遊技球の流下を矢印Ｊで示す。）。これにより、遊技球は、球皿側流路４５を経由して補助球受皿３２へ導かれる。
【００４３】
また、上記打球供給皿３１が遊技球によって満タン状態になったときに、打球供給皿３１から溢れ出した遊技球が前方側流路部２１１まで充満して出口部５１５を塞いだときには、主ファール球回収流路５１に流下したファール球は、第一案内部５１１を流下して第二案内部５１２に貯留される。その後、第二案内部５１２がファール球で充満されたときには、ファール球は、第一案内部５１１に連通する連通流路５２を介して補助球受皿３２へ導かれる。図５において、打球供給皿３１が満タン状態にあるときのファール球の流れを矢印Ｏで示す。
【００４４】
その後、補助球受皿３２が遊技球によって満たされたときには、それ以降の遊技球は球皿側流路４５に貯留され、貯留された遊技球の球圧によって満タン作動部７１が回動し、満タン作動検知部７２における検知部が押し込まれて、満タン状態（最大貯留可能量）が検知される。このとき、遊技機１の制御装置は、球払出装置による遊技球の払出を停止させる。
【００４５】
また、図３に示すごとく、球発射装置２６から発射された発射球（遊技球）とファール球とが衝突したときには、この発射球が、球発射装置２６から遊技盤の遊技領域に向けて斜め上方に形成した発射レール２２へ逆流することがある。このとき、発射球は、発射レール２２から副ファール球回収流路５３へ流下する。そして、この発射球は、オーバーフロー流路４における球皿側流路４５を介して補助球受皿３２へ回収される。同図において、副ファール球回収流路５３への遊技球の流れを矢印Ｇで示す。
【００４６】
また、図７に示すごとく、メンテナンス等を目的として、球皿パネル３を本体枠２に対して開けたときには、球皿パネル３の後方側に突出する流下ガイド部３３が、オーバーフロー流路部材４２における開口穴４２１から抜き出される。このとき、前方流路部２１１及び屈曲流路部２１２に遊技球が存在する場合には、この遊技球は、図３に示すごとく、屈曲流路部２１２によって右方向へ流下して、オーバーフロー流路部材４２に形成された本体枠側流路４１へと上方から合流するように流下することができる。これにより、開口穴４２１から遊技球が零れ落ちることを防止することができる。図３において、屈曲流路部２１２によって右方向へ流下する遊技球の流れを矢印Ｈで示す。
【００４７】
このように、本例の遊技機１においては、打球供給皿３１へ遊技球を払出供給するために開口された開口穴４２１付近に対して別途シャッター部材を設ける必要がなく、仮に、打球供給皿３１へ遊技球の払出を行う最中に、球皿パネル３を開けたときでも、遊技球が開口穴４２１から零れ落ちることを防止することができる。
【００４８】
また、図７に示すごとく、球皿パネル３を開けたときには、シャッター部材６が付勢部材による付勢力を受けて前方側へ回動する。
これにより、本体枠側流路４１の下流側端部４１１がシャッター部材６の球受け面６２によって遮蔽され、本体枠側流路４１の下流側端部４１１から遊技球が零れることを防止することができる。また、副ファール球回収流路５３の下流側端部５３１がシャッター部材６の側面６３によって遮蔽され、副ファール球回収流路５３から遊技球が零れ落ちることを防止することができる。そのため、球皿パネル３を本体枠２に対して開けたときに、同じシャッター部材６によって本体枠側流路４１の下流側端部４１１及び副ファール球回収流路５３の下流側端部５３１から遊技球が零れ落ちることを防止することができ、シャッター部材６が占めるスペースを小さくすることができる。
【００４９】
また、図４に示すごとく、球皿側流路４５には、上記のごとく、遊技球の払出を停止させるための満タン検出部７が配設してある。そして、補助球受皿３２に貯留する遊技球が満タン状態になったときには、満タン検出部７が作動し、遊技球の払出を停止させることができる。これにより、満タン検出部７よりも上流側に位置する球皿側流路４５の部分及び本体枠側流路４１にまで遊技球が貯留されることがない。そのため、球皿パネル３を開けた際、シャッター部材６によって本体枠側流路４１における下流側端部４１１を遮るときに、シャッター部材６が多数の遊技球の間に割って入ることがない。そして、シャッター部材６を移動させるときにシャッター部材６に加わる負荷を低減することができ、シャッター部材６によって、遊技球が零れ落ちることを安定して防止することができる。
【００５０】
それ故、本例の遊技機１の球流下機構によれば、１つのシャッター部材６によって、複数の流路４１、５３の下流側端部４１１、５３１を遮蔽して、球皿パネル３を開けたときに遊技球が零れ落ちることを防止することができ、シャッター部材６に遊技球による負荷が加わることを防止することができる。
【００５１】
また、上記のごとく、本例の遊技機１においては、迂回流下スペース５１０の出口部５１５は、遊技盤の前面より後方側の位置において前方流路部２１１の側方部に開口しており、連通流路５２の出口部５２２は、遊技盤の前面より後方側の位置においてオーバーフロー流路４の側方部に開口している。これにより、打球供給皿３１における球払出口３３３から、針金等の種々の不正手段を差し込み、この不正手段によって迂回流下スペース５１０の出口部５１５又は連通流路５２の出口部５２２を介して、遊技機１の内部に不正を行い難くすることができる。そのため、遊技機１の防犯性を向上させることができる。
【００５２】
さらに、オーバーフロー通路部材４２において、球発射装置２６の側に位置する上面及び側面には、防犯用の板金４２２が配設してある。この板金４２２の配設により、打球供給皿３１における球払出口３３３や補助球受皿３２の球払出口から熱線等の種々の不正手段を差し込んで、オーバーフロー通路部材４２を含む本体枠２における樹脂部材に穴を開け、その穴を利用して遊技盤の遊技領域内に配置された遊技装置に対して不正な行為をしようとしても、板金４２２によりその穴開け行為が防止されるので、上記不正行為を防止することができる。
【００５３】
上記シャッター部材６の閉鎖機構は、本例の付勢部材を設けた機構に限定されず、種々の機構を採用することができる。また、上記オーバーフロー流路４の流路構成及び満タン検知部７の構成は、本例の構成に限定されず、種々の構成とすることができる。また、打球供給皿３１へ遊技球を払出供給するために開口された開口穴４２１付近には、別途シャッター部材を設けることができる。
また、球皿パネル３の開放時に球払出装置による遊技球の払出動作を停止させることを目的として、本体枠２側又は球皿パネル３側に球皿パネル３の開放状態を検出するための開放検知スイッチを別途配置してもよい。また、満タン検知部７の満タン作動検知部７２には、光検知式や磁気検知式等の検知手段を用いてもよい。
【００５４】
（実施例２）
本例は、満タン作動部７１及び満タン作動検知部７２の構成に上記実施例１とは異なる工夫をした例である。
本例においては、図１０に示すごとく、満タン検出部７の機能の一つとして構成される満タン作動部７１を球皿側流路４５に設ける一方、図９に示すごとく、満タン作動検知部７２をシャッター部材６に取り付けている。
図９に示すごとく、満タン作動検知部７２は、接触式のスイッチから構成してあり、スイッチの検知部７２１を前方側に配置してシャッター部材６の側面６３に取り付けてある。一方、本体枠２の前面側には、球皿パネル３を本体枠２に対して開け、シャッター部材６が付勢部材の付勢力を受けて前方へ回動したときに、満タン作動検知部７２の検知部７２１の一部分（検知部７２１の上側部分）が当接する当接片２５が形成してある。
【００５５】
図１０に示すごとく、満タン作動部７１には、球皿パネル３を本体枠２に対して閉じた状態において、満タン作動検知部７２の検知部７２１の一部分（検知部７２１の下側部分）の前方に位置する押込み片７１２が設けてある。この押込み片７１２は、横方向に突出して形成してあり、球皿パネル３を本体枠２に対して閉じる際には、本体枠２側に設けた当接片２５の下側を通って、満タン作動検知部７２の検知部７２１の前方に配置される。
【００５６】
本例においては、球皿パネル３を本体枠２に対して開けたときに、シャッター部材６が前方側へ回動するときには、シャッター部材６と一体的に満タン作動検知部７２も前方側へ回動する（図９において、前方側へ回動した満タン作動検知部を７２Ｘで示す。）。このとき、満タン作動検知部７２の検知部７２１が本体枠２側に設けた当接片２５に当接して押し込まれる。これにより、満タン作動検知部７２によって、球皿パネル３を本体枠２に対して開けたことを検知することができる。
【００５７】
本例の満タン作動検知部７２は、球皿パネル３を本体枠２に対して閉じた状態においては、補助球受皿３２が満タン状態であることを検出することができる。また、この満タン作動検知部７２は、球皿パネル３を本体枠２に対して開けたときには、検出状態へと動作することにより、球皿パネル３が開いていることを検出することもできる。そして、遊技機１の制御装置は、満タン作動検知部７２が検出状態へと動作したときには、球払出装置による遊技球の払出を停止することができる。
本例においても、その他の構成は上記実施例１と同様であり、上記実施例１と同様の作用効果を得ることができる。
【符号の説明】
【００５８】
１  遊技機
２  本体枠
２１  球払出流路
２１１  前方流路部
２１２  屈曲流路部
２６  球発射装置
３  球皿パネル
３１  打球供給皿
３２  補助球受皿
３３  流下ガイド部
４  オーバーフロー流路
４１  本体枠側流路
４１１  下流側端部
４２  オーバーフロー流路部材
４２１  開口穴
４５  球皿側流路
５１  主ファール球回収流路
５２  連通流路
５３  副ファール球回収流路
５３１  下流側端部
６  シャッター部材
７  満タン検出部
７１  満タン作動部
７２  満タン作動検知部
【図１】
0005550867.tif 000002
【図２】
0005550867.tif 000003
【図３】
0005550867.tif 000004
【図４】
0005550867.tif 000005
【図５】
0005550867.tif 000006
【図６】
0005550867.tif 000007
【図７】
0005550867.tif 000008
【図８】
0005550867.tif 000009
【図９】
0005550867.tif 000010
【図１０】
0005550867.tif 000011